(57)【要約】【課題】  本発明は、機種の異なる複数のプリンタに対応する周辺機器の場合にも、共通の接続プレートを用いて周辺機器と機種の異なる複数のプリンタとをそれぞれ位置出しして接続することができ、無駄な接続プレートを用意しなくて良いため、コストを削減できると共に、資源を有効活用できる接続プレートを提供することを課題とする。【解決手段】  第２プレート２を第１プレート１に対して移動させて相対的なポジションを変更することにより、ポジション毎に機種によって大きさ、形状もしくは位置が異なるプリンタの足部３ａ〜３ｅをそれぞれ位置決めするプリンタ位置決め部が第１プレートの第１規制部（第１規制穴１２）および第２プレートの第２規制部（第２規制穴２１、規制端２６）によって形成される。また、各ポジションにおいて第２プレート２の窓部２４に対向する第１プレート１のそれぞれの位置にプリンタの機種表示１５ａ〜１５ｅを設けられている。【選択図】        図１
2006102944.tif 000002
【特許請求の範囲】
【請求項１】
プリンタの足部を利用してプリンタと周辺機器とを位置出しして接続する接続プレートであって、
前記プリンタの足部の位置を規制する第１規制部が形成されている第１プレートと、
該第１プレートに重ねられて使用され、前記プリンタの足部の位置を規制する第２規制部が形成されている第２プレートとを具備し、
前記第２プレートを前記第１プレートに対して移動させて相対的なポジションを変更することにより、前記ポジション毎に機種によって大きさ、形状もしくは位置が異なる前記プリンタの足部をそれぞれ位置決めするプリンタ位置決め部が前記第１規制部および前記第２規制部によって形成されることを特徴とする接続プレート。
【請求項２】
前記第２プレートを複数の前記ポジションにそれぞれ位置決めするプレート位置決め手段が前記第１プレートおよび前記第２プレートに形成されているとする請求項１記載の接続プレート。
【請求項３】
前記第１プレートには、前記第２プレートを前記第１プレートに固定するネジが螺合されるネジ穴が形成されていると共に、
前記第２プレートには、複数の前記ポジションにおいて前記ネジ穴に対向するそれぞれの位置を結び前記ネジが貫通されるガイド穴が形成されていることを特徴とする請求項１又は２記載の接続プレート。
【請求項４】
前記第２プレートには、窓部が形成されており、
前記第１プレートには、複数の前記ポジションにおける前記窓部に対向するそれぞれの位置に対応する前記プリンタの機種表示が設けられていることを特徴とする請求項１乃至３のいずれかに記載の接続プレート。
【発明の詳細な説明】
【技術分野】
【０００１】
本発明は、プリンタと周辺機器とを位置出しして接続する接続プレートに関し、特にプリンタおよび周辺機器の足部を用いてプリンタと周辺機器との位置出しを行う接続プレートに関する。
【背景技術】
【０００２】
プリンタの通紙方向の前後に設置される周辺機器としては、プリンタに用紙を供給する外部供給装置、プリンタから排出される連続紙を巻き取る外部巻き取り装置、プリンタから排出される用紙をスタックするスタッカ装置（スタッカ、オートスタッカ、カッタスタッカ等）、プリンタによって印字されたラベルを帯状台紙から剥離する剥離装置等が存在するが、これらの周辺機器をプリンタの周辺に設置するに際しては、プリンタに対して通紙方向および通紙方向に直交する用紙幅方向の位置出しを行う必要がある。
【０００３】
また、周辺機器は、機種の異なる複数のプリンタへの対応を求められるのが一般的であり、周辺機器とプリンタとの接続には、接続プレートを用いた位置出しを行いながらの簡易的なメカ接続が採用されている。接続プレートによる周辺機器とプリンタとの接続は、ほとんどのプリンタに付いている足部（ゴムや樹脂製の足）が利用され、接続プレートによって周辺機器に対するプリンタの足部の位置を規制することによって位置出しが行われる（例えば、特許文献１参照）。
【０００４】
図８は、周辺機器が対応する複数のプリンタの足部をプロットした図である。
しかしながら、プリンタの足部３ａ〜３ｅは、機種によって大きさおよび形状や設けられている位置が異なっており、周辺機器の足部１１に対するプリンタの足部３ａ〜３ｅの配置を１枚の接続プレートにプロットすると、図８に示すように、大きさおよび形状や位置の違いによって位置出し穴が繋がってしまい、位置出しを行うことができなくなってしまう。従って、従来技術では、機種の異なる複数のプリンタに対応する周辺機器の場合には、対応するプリンタの機種毎にそれぞれ異なる接続プレートを用意しなければならず、設置時に複数の接続プレートの中から１枚を選択する手間が煩雑であり、さらに、使用されなかった接続プレートが無駄になってコスト面でデメリットを生じると共に、資源の無駄遣いとなってしまうという問題点があった。
【特許文献１】特開平１１−１３９６３４号公報
【発明の開示】
【発明が解決しようとする課題】
【０００５】
本発明は斯かる問題点を鑑みてなされたものであり、その目的とするところは、機種の異なる複数のプリンタに対応する周辺機器の場合にも、共通の接続プレートを用いて周辺機器と機種の異なる複数のプリンタとをそれぞれ位置出しして接続することができ、設置を簡単に行え、さらに、無駄な接続プレートを用意しなくて良いため、コストを削減できると共に、資源を有効活用できる接続プレートを提供する点にある。
【課題を解決するための手段】
【０００６】
本発明は上記課題を解決すべく、以下に掲げる構成とした。
請求項１記載の発明の要旨は、プリンタの足部を利用してプリンタと周辺機器とを位置出しして接続する接続プレートであって、前記プリンタの足部の位置を規制する第１規制部が形成されている第１プレートと、該第１プレートに重ねられて使用され、前記プリンタの足部の位置を規制する第２規制部が形成されている第２プレートとを具備し、前記第２プレートを前記第１プレートに対して移動させて相対的なポジションを変更することにより、前記ポジション毎に機種によって大きさ、形状もしくは位置が異なる前記プリンタの足部をそれぞれ位置決めするプリンタ位置決め部が前記第１規制部および前記第２規制部によって形成されることを特徴とする接続プレートに存する。
また請求項２記載の発明の要旨は、前記第２プレートを複数の前記ポジションにそれぞれ位置決めするプレート位置決め手段が前記第１プレートおよび前記第２プレートに形成されているとする請求項１記載の接続プレートに存する。
また請求項３記載の発明の要旨は、前記第１プレートには、前記第２プレートを前記第１プレートに固定するネジが螺合されるネジ穴が形成されていると共に、前記第２プレートには、複数の前記ポジションにおいて前記ネジ穴に対向するそれぞれの位置を結び前記ネジが貫通されるガイド穴が形成されていることを特徴とする請求項１又は２記載の接続プレートに存する。
また請求項４記載の発明の要旨は、前記第２プレートには、窓部が形成されており、前記第１プレートには、複数の前記ポジションにおける前記窓部に対向するそれぞれの位置に対応する前記プリンタの機種表示が設けられていることを特徴とする請求項１乃至３のいずれかに記載の接続プレートに存する。
【発明の効果】
【０００７】
本発明の接続プレートは、第２プレートを第１プレートに対して移動させて相対的なポジションを変更することにより、ポジション毎に機種によって大きさ、形状もしくは位置が異なるプリンタの足部をそれぞれ位置決めするプリンタ位置決め部が第１プレートの第１規制部および第２プレートの第２規制部によって形成されるように構成することにより、機種の異なる複数のプリンタに対応する周辺機器の場合にも、共通の接続プレートを用いて周辺機器と機種の異なる複数のプリンタとをそれぞれ位置出しして接続することができ、無駄な接続プレートを用意しなくて良いため、コストを削減できると共に、資源を有効活用できるという効果を奏する。
【０００８】
さらに、本発明の接続プレートは、第２プレートを複数のポジションにそれぞれ位置決めするプレート位置決め部を第１プレートおよび第２プレートに形成することにより、機種によって大きさ、形状もしくは位置が異なるプリンタの足部をそれぞれ位置決めする各ポジションに第２プレートを簡単に位置決めすることができるという効果を奏する。
【０００９】
さらに、本発明の接続プレートは、各ポジションにおいて第２プレートの窓部に対向する第１プレートのそれぞれの位置にプリンタの機種表示を設けるように構成することにより、各ポジションに対応する機種を簡単に把握することができるため、設置を簡単に行えるという効果を奏する。
【発明を実施するための最良の形態】
【００１０】
以下、本発明の実施の形態を図面に基づいて詳細に説明する。
【００１１】
図１は、本発明に係る接続プレートの実施の形態の構成を示す上面図および側面図であり、図２は、図１に示す第１プレートの構成を示す上面図および側面図であり、図３は、図１に示す第２プレートの構成を示す上面図および側面図であり、図４は、本発明に係る接続プレートの実施の形態における第２ポジション例を示す上面図および側面図であり、図５は、本発明に係る接続プレートの実施の形態における第３ポジション例を示す上面図および側面図であり、図６は、本発明に係る接続プレートの実施の形態における第４ポジション例を示す上面図および側面図であり、図７は、本発明に係る接続プレートの実施の形態における第１ポジション例を示す上面図および側面図である。
【００１２】
本実施の形態は、プリンタと、外部供給装置、外部巻き取り装置、スタッカ装置、剥離装置等周辺機器とを位置出しして接続する接続プレートであり、図１を参照すると、第１プレート１と、当該第１プレート１に重ねられた第２プレート２との２枚のプレートで構成されている。
【００１３】
第１プレート１は、例えば金属製のプレートであり、第１プレート１には、図２を参照すると、周辺機器の足部を位置決めする穴である周辺機器位置決め部１１と、プリンタの足部３ａ〜３ｅの位置を規制する第１規制部として機能する第１規制穴１２と、第２プレートを第１プレートに固定するネジが螺合されるネジ穴１３と、第２プレートとの相対的な位置を位置決めするプレート位置決め部として機能するプレート位置決め穴１４ａ〜１４ｄとが形成されていると共に、刻印・シルク印刷、印刷ラベル等の機種表示１５ａ〜１５ｅが第２プレートに対向する面に設けられている。
【００１４】
第１規制穴１２の位置および形状は、周辺機器の足部１１に対するプリンタの足部３ａ〜３ｅの配置（図８参照）がそれぞれプロットされたものである。なお、第１規制穴１２は、貫通穴である必要はなく、プリンタの足部３ａ〜３ｅが嵌合する凹部であっても良い。
【００１５】
第２プレート２は、例えば金属製のプレートであり、第２プレート２には、図３を参照すると、プリンタの足部３の位置を規制する第２規制部として機能する第２規制穴２１、第２プレートを第１プレートに固定するネジが貫通するガイド穴２２と、第１プレートとの相対的な位置を位置決めするプレート位置決め部として機能する位置決め突起２３と、第１プレート１の機種表示１５ａ〜１５ｄを目視するための表示窓２４とが形成されていると共に、第２プレート２の一端部には、第１プレート１を挟み込むようにコの字状に折り曲げられた把持部２５が２カ所形成され、２カ所の把持部２５間の端部と、他端部とがプリンタの足部３の位置を規制する第２規制部として機能する規制端２６となる。
【００１６】
本実施の形態の接続プレートは、第２プレート２を第１プレート１の面上を移動させて、第１プレート１と第２プレート２との相対的な位置を変更し、第１プレート１のプレート位置決め穴１４ａ〜１４ｄのいずれかに第２プレート２の位置決め突起２３を嵌合させることによって第１〜第４ポジションのいずれかに位置決めすることができる構成になっている。
【００１７】
機種AA1のプリンタの足部３ａに対応する第１ポジションは、図１に示すように、第１プレート１のプレート位置決め穴１４ａに第２プレート２の位置決め突起２３を嵌合した状態であり、足部３ａが第１プレート１の第１規制穴１２および第２プレート２の第２規制穴２１によって位置決めされると共に、第１プレート１の機種AA1を示す機種表示１５ａに対向する箇所には、第２プレート２の表示窓２４が位置し、表示窓２４から機種AA1を示す機種表示１５ａが目視可能になる。また、第１プレート１のネジ穴１３に対向する箇所には、第２プレート２のガイド穴２２が位置し、ガイド穴２２を介してネジをネジ穴１３に螺着することによって、第１ポジションに第１プレート１および第２プレート２を固定することができるようになっている。
【００１８】
機種BB1および機種BB2のプリンタの足部３ｂに対応する第２ポジションは、図４に示すように、第１プレート１のプレート位置決め穴１４ｂに第２プレート２の位置決め突起２３を嵌合した状態であり、足部３ｂが第１プレート１の第１規制穴１２および第２プレート２の第２規制穴２１によって位置決めされると共に、第１プレート１の機種BB1および機種BB2をそれぞれ示す機種表示１５ｂに対向する箇所には、第２プレート２の表示窓２４が位置し、表示窓２４から機種BB1および機種BB2を示す機種表示１５ｂが目視可能になる。また、第１プレート１のネジ穴１３に対向する箇所には、第２プレート２のガイド穴２２が位置し、ガイド穴２２を介してネジをネジ穴１３に螺着することによって、第２ポジションに第１プレート１および第２プレート２を固定することができるようになっている。
【００１９】
機種CC1および機種CC2のプリンタの足部３ｃに対応する第３ポジションは、図５に示すように、第１プレート１のプレート位置決め穴１４ｃに第２プレート２の位置決め突起２３を嵌合した状態であり、足部３ｃが第１プレート１の第１規制穴１２および第２プレート２の第２規制穴２１によって位置決めされると共に、第１プレート１の機種CC1および機種CC2をそれぞれ示す機種表示１５ｃに対向する箇所には、第２プレート２の表示窓２４が位置し、表示窓２４から機種CC1および機種CC2を示す機種表示１５ｃが目視可能になる。また、第１プレート１のネジ穴１３に対向する箇所には、第２プレート２のガイド穴２２が位置し、ガイド穴２２を介してネジをネジ穴１３に螺着することによって、第３ポジションに第１プレート１および第２プレート２を固定することができるようになっている。
【００２０】
機種DD1および機種DD2のプリンタの足部３ｄに対応する第４ポジションは、図６に示すように、第１プレート１のプレート位置決め穴１４ｄに第２プレート２の位置決め突起２３を嵌合した状態であり、足部３ｄが第１プレート１の第１規制穴１２および第２プレート２の規制端２６によって位置決めされると共に、第１プレート１の機種DD1および機種DD2をそれぞれ示す機種表示１５ｄに対向する箇所には、第２プレート２の表示窓２４が位置し、表示窓２４から機種DD1および機種DD2を示す機種表示１５ｄが目視可能になる。また、第１プレート１のネジ穴１３に対向する箇所には、第２プレート２のガイド穴２２が位置し、ガイド穴２２を介してネジをネジ穴１３に螺着することによって、第４ポジションに第１プレート１および第２プレート２を固定することができるようになっている。
【００２１】
また、図７に示すように、第１ポジションは、機種EE1のプリンタの足部３ｅにも対応するように構成されている。すなわち、第１ポジションは、第１プレート１のプレート位置決め穴１４ａに第２プレート２の位置決め突起２３を嵌合した状態であり、足部３ｅが第１プレート１の第１規制穴１２および第２プレート２の第２規制穴２１によって位置決めされると共に、機種EE1を示す機種表示１５ｅに対向する箇所には、第２プレート２の表示窓２４が位置し、表示窓２４から機種EE1を示す機種表示１５ｅが目視可能になる。また、第１プレート１のネジ穴１３に対向する箇所には、第２プレート２のガイド穴２２が位置し、ガイド穴２２を介してネジをネジ穴１３に螺着することによって、第１ポジションに第１プレート１および第２プレート２を固定することができるようになっている。
【００２２】
第２プレート２のガイド穴２２は、上述の第１〜第４ポジションにおいて、常に第１プレート１のネジ穴１３に対向する箇所を結ぶ形状になっており、ネジ穴１３にガイド穴２２を介して螺合されたネジとガイド穴２２とが、第１〜第４ポジション間の移動、すなわち第２プレート２を第１プレート１に対する相対的な移動をガイドするガイド手段として機能する。
【００２３】
以上説明したように、本実施の形態によれば、第２プレート２を第１プレート１に対して移動させて相対的なポジションを変更することにより、ポジション毎に機種によって大きさ、形状もしくは位置が異なるプリンタの足部３ａ〜３ｅをそれぞれ位置決めするプリンタ位置決め部が第１プレートの第１規制部（第１規制穴１２）および第２プレートの第２規制部（第２規制穴２１、規制端２６）によって形成されるように構成することにより、機種の異なる複数のプリンタに対応する周辺機器の場合にも、共通の接続プレートを用いて周辺機器と機種の異なる複数のプリンタとをそれぞれ位置出しして接続することができ、無駄な接続プレートを用意しなくて良いため、コストを削減できると共に、資源を有効活用できるという効果を奏する。
【００２４】
さらに、本実施の形態によれば、第１プレート１のプレート位置決め穴１４ａ〜１４ｄと、第２プレート２のプレート位置決め突起２３とを、第２プレート２を複数のポジションにそれぞれ位置決めするプレート位置決め手段として形成することにより、機種によって大きさ、形状もしくは位置が異なるプリンタの足部３ａ〜３ｅをそれぞれ位置決めする各ポジションに第２プレート２を簡単に位置決めすることができるという効果を奏する。
【００２５】
さらに、本実施の形態によれば、各ポジションにおいて第２プレート２の窓部２４に対向する第１プレート１のそれぞれの位置にプリンタの機種表示１５ａ〜１５ｄを設けるように構成することにより、各ポジションに対応する機種を簡単に把握することができるため、設置を簡単に行えるという効果を奏する。
【００２６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２７】
【図１】本発明に係る接続プレートの実施の形態の構成を示す上面図および側面図である。
【図２】図１に示す第１プレートの構成を示す上面図および側面図である。
【図３】図１に示す第２プレートの構成を示す上面図および側面図である。
【図４】本発明に係る接続プレートの実施の形態における第２ポジション例を示す上面図および側面図である。
【図５】本発明に係る接続プレートの実施の形態における第３ポジション例を示す上面図および側面図である。
【図６】本発明に係る接続プレートの実施の形態における第４ポジション例を示す上面図および側面図である。
【図７】本発明に係る接続プレートの実施の形態における第１ポジション例を示す上面図および側面図である。
【図８】周辺機器が対応する複数のプリンタの足部をプロットした図である。
【符号の説明】
【００２８】
１  第１プレート
２  第２プレート
３ａ〜３ｅ  足部
１１  周辺機器位置決め穴
１２  第１規制穴
１３  ネジ穴
１４ａ〜１４ｄ  プレート位置決め穴
１５ａ〜１５ｅ  プリンタ機種表示
２１  第２規制穴
２２  スライド穴
２３  プレート位置決め突起
２４  表示窓
２５  把持部
２６  規制端
【図１】
2006102944.tif 000003
【図２】
2006102944.tif 000004
【図３】
2006102944.tif 000005
【図４】
2006102944.tif 000006
【図５】
2006102944.tif 000007
【図６】
2006102944.tif 000008
【図７】
2006102944.tif 000009
【図８】
2006102944.tif 000010